(57)【要約】【課題】  簡単な構造で、回転リングの回転方向を特定方向に規制することができる腕時計を提供する。【解決手段】  腕時計ケース１の側部にその外部から内部に貫通して設けられた回転操作可能な操作部材７に設けられた歯車１５と、腕時計ケース１の下部に設けられた裏蓋３に設けられて歯車１５に弾接する弾性片２０とが、操作部材７を一方向に回転させた際に歯車１５の歯部１６によって弾性片２０を弾性変形させて操作部材７を回転可能にし、操作部材７を他方向に回転させた際に弾性片２０が歯車１５の歯部１６を係止して操作部材７の回転を阻止するように構成されている。従って、弾性片２０を付加するだけの簡単な構造で、歯車１５の回転に連動して回転する回転リング６の回転方向を特定方向のみに規制することができる。【選択図】        図３
2012052919.tif 000002
【特許請求の範囲】
【請求項１】
時計モジュールを収容する腕時計ケースと、
この腕時計ケースの下側に取り付けられた裏蓋と、
前記腕時計ケースの側部にその外部から内部に貫通して設けられた回転操作可能な操作部材と、
前記腕時計ケース内に位置する前記操作部材の内端部側に設けられて前記操作部材と共に一体的に回転する歯車と、
前記腕時計ケース内にその内周面に沿って回転可能に設けられ、且つ前記操作部材の回転操作に伴う前記歯車の回転に連動して回転する回転リングと、
前記裏蓋に固定されて前記歯車の歯部に弾接する弾性片とを備え、
前記歯車と前記弾性片とは、前記操作部材が一方向に回転した際に前記歯車の前記歯部によって前記弾性片が弾性変形して前記操作部材を回転可能とし、前記操作部材が他方向に回転された際に前記弾性片が前記歯車の前記歯部を係止して前記操作部材の回転を阻止するように形成されていることを特徴とする腕時計。
【請求項２】
前記弾性片は、その一端部が前記裏蓋に固定され、他端部が前記歯車の前記歯部間に出没可能に挿入して前記歯車の前記他方向への回転を阻止することを特徴とする請求項１に記載の腕時計。
【請求項３】
前記弾性片は、その一端部が前記裏蓋に固定され、この一端部と他端部との間にフック部が設けられ、このフック部が前記歯車の前記歯部間に出没可能に挿入して前記歯車の前記他方向への回転を阻止することを特徴とする請求項１に記載の腕時計。
【発明の詳細な説明】
【技術分野】
【０００１】
この発明は、回転目盛板や回転見切板などの回転リングを腕時計ケース内に備えた腕時計に関する。
【背景技術】
【０００２】
従来、腕時計においては、特許文献１に記載されているように、腕時計ケース内の内周面に沿って回転可能に設けられた回転目盛板などの回転リングを備え、腕時計ケースの側部にその外部から内部に貫通する竜頭などの操作部材を回転操作可能に設けると共に、腕時計ケース内に位置する操作部材の内端部に歯車を設け、この歯車の歯部を回転リングの歯部に噛み合わせ、この状態で操作部材を回転操作させると、これに伴って歯車が回転し、この歯車の回転によって回転リングが回転するように構成されたものが知られている。
【先行技術文献】
【特許文献】
【０００３】
【特許文献１】実開平０４−６６５９７号公報
【発明の概要】
【発明が解決しようとする課題】
【０００４】
しかしながら、このような従来の腕時計では、操作部材を一方向に回転させると、これに伴って歯車が同方向に回転し、この歯車の回転によって回転リングが一方向に回転し、また操作部材を逆方向に回転させると、これに伴って歯車も逆方向に回転し、この歯車の回転によって回転リングが逆方向にも回転するため、回転リングの回転方向を特定方向のみに規制することができないという問題があった。
【０００５】
この発明が解決しようとする課題は、簡単な構造で、回転リングの回転方向を特定方向に規制することができる腕時計を提供することである。
【課題を解決するための手段】
【０００６】
この発明は、上記課題を解決するために、次のような構成要素を備えている。
請求項１に記載の発明は、時計モジュールを収容する腕時計ケースと、この腕時計ケースの下側に取り付けられた裏蓋と、前記腕時計ケースの側部にその外部から内部に貫通して設けられた回転操作可能な操作部材と、前記腕時計ケース内に位置する前記操作部材の内端部側に設けられて前記操作部材と共に一体的に回転する歯車と、前記腕時計ケース内にその内周面に沿って回転可能に設けられ、且つ前記操作部材の回転操作に伴う前記歯車の回転に連動して回転する回転リングと、前記裏蓋に固定されて前記歯車の歯部に弾接する弾性片とを備え、前記歯車と前記弾性片とは、前記操作部材が一方向に回転した際に前記歯車の前記歯部によって前記弾性片が弾性変形して前記操作部材を回転可能とし、前記操作部材が他方向に回転された際に前記弾性片が前記歯車の前記歯部を係止して前記操作部材の回転を阻止するように形成されていることを特徴とする腕時計である。
【０００７】
請求項２に記載の発明は、前記弾性片が、その一端部を前記裏蓋に固定し、他端部を前記歯車の前記歯部間に出没可能に挿入させて前記歯車の前記他方向への回転を阻止することを特徴とする請求項１に記載の腕時計である。
【０００８】
請求項３に記載の発明は、前記弾性片が、その一端部を前記裏蓋に固定し、この一端部と他端部との間にフック部を設け、このフック部を前記歯車の前記歯部間に出没可能に挿入させて前記歯車の前記他方向への回転を阻止することを特徴とする請求項１に記載の腕時計である。
【発明の効果】
【０００９】
この発明によれば、操作部材を一方向に回転させた際に、歯車の歯部によって弾性片が弾性変形して操作部材を回転可能とし、また操作部材を他方向に回転させた際に、弾性片が歯車の歯部を係止して操作部材の回転を阻止することができるので、弾性片を付加するだけの簡単な構造で、回転リングの回転方向を特定方向に規制することができる。
【図面の簡単な説明】
【００１０】
【図１】この発明を適用した腕時計の実施形態１を示した要部の拡大正面図である。
【図２】図１のＡ−Ａ矢視における断面を示した一部省略した拡大斜視図である。
【図３】図１のＡ−Ａ矢視における拡大断面図である。
【図４】図３の操作部材を示した拡大斜視図である。
【図５】図４の操作部材に歯車を取り付けた状態を示した拡大斜視図である。
【図６】図３に示された腕時計において、歯車の逆転防止機構を示した要部の拡大斜視図である。
【図７】図３のＢ−Ｂ矢視において弾性片が歯車の回転を規制する状態を示した拡大断面図である。
【図８】図７において歯車の歯部が弾性片を乗り越える状態を示した拡大断面図である。
【図９】この発明を適用した腕時計の実施形態２において、その要部を断面で示した一部省略した拡大斜視図である。
【図１０】図９に示しされた腕時計において、その断面の箇所を示した要部の拡大断面図である。
【図１１】図１０に示された腕時計において、歯車の逆転防止機構を示した要部の拡大斜視図である。
【図１２】図１０のＣ−Ｃ矢視において弾性片が歯車の回転を規制する状態を示した拡大断面図である。
【図１３】図１２において歯車の歯部が弾性片を乗り越える状態を示した拡大断面図である。
【発明を実施するための形態】
【００１１】
（実施形態１）
以下、図１〜図８を参照して、この発明を適用した腕時計の実施形態１について説明する。
この腕時計は、図１〜図３に示すように、腕時計ケース１を備えている。この腕時計ケース１の上側開口部には、時計ガラス２が取り付けられており、この腕時計ケース１の下部には、裏蓋３が取り付けられている。
【００１２】
また、この腕時計ケース１の内部には、図３に示すように、時計モジュール４（図３に２点鎖線で示す）が配置されている。この時計モジュール４は、図示しないが、時刻などの情報を表示する表示部や、指針の運針により時刻を指示する時計ムーブメントなどの時計機能に必要な各種の部品を備えている。また、この時計モジュール４と時計ガラス２との間には、図２および図３に示すように、腕時計ケース１の内周面に沿って回転する回転目盛板や回転見切板などの回転リング６が回転可能に設けられている。
【００１３】
さらに、この腕時計ケース１における３時側の側部には、図１〜図３に示すように、操作部材７が回転操作可能に設けられている。この場合、腕時計ケース１の側部には、図２および図３に示すように、貫通孔１ａが内部と外部とに貫通して設けられており、この貫通孔１ａ内には、パイプ８が腕時計ケース１の内部と外部とに貫通した状態で固定されている。
【００１４】
操作部材７は、図２〜図５に示すように、頭部１０と軸部１１とを備え、頭部１０が腕時計ケース１の外部に位置し、軸部１１が腕時計ケース１のパイプ８内に挿入されて腕時計ケース１の内部に突出した状態で、パイプ８内に回転可能に取り付けられている。この操作部材７の頭部１０は、図３に示すように、その外径がパイプ８の外径よりも十分に大きく形成されている。
【００１５】
また、この頭部１０の内側面つまり腕時計ケース１の外側面に対面する頭部１０の内側面（図３では左側面）には、図２〜図５に示すように、パイプ８の外端部（図３では右端部）が挿入するリング状の挿入溝１０ａが設けられている。このリング状の挿入溝１０ａ内には、図３に示すように、パイプ８の外端部が弾接して相対的に摺動する防水リング１２が設けられている。
【００１６】
また、この操作部材７の軸部１１は、図２〜図５に示すように、その外径がパイプ８の内径よりも少し小さく形成されている。この軸部１１の外周面には、複数のリング状の溝部１１ａが設けられている。このリング状の溝部１１ａ内には、パイプ８の内周面に弾接して相対的に摺動する複数の防水リング１３がそれぞれ取り付けられている。また、この軸部１１における腕時計ケース１内に突出する内端部側（図４では左端部側）には、図４に示すように、角棒状の歯車取付部１４が設けられている。
【００１７】
この角棒状の歯車取付部１４には、図２〜図５に示すように、歯車１５がＥリングなどの抜止め部材１７によって取り付けられている。すなわち、この抜止め部材１７は、図３および図４に示すように、軸部１１の内端部（図３では左端部）に設けられた取付溝部１１ｂに取り付けられて、歯車１５が軸部１１の歯車取付部１４から脱落するのを防ぐように構成されている。
【００１８】
歯車１５は、図２、図３および図５に示すように、その中心部に四角形状の軸孔１８が設けられ、この軸孔１８に操作部材７の歯車取付部１４が嵌合するように構成されている。これにより、歯車１５は、その軸孔１８に軸部１１の歯車取付部１４が挿入することにより、軸部１１に取り付けられ、この状態で操作部材７と共に一体的に回転するように構成されている。
【００１９】
また、この歯車１５は、図６〜図８に示すように、その外周部に等間隔で多数の歯部１６が設けられ、この歯車１５の上側に位置する歯部１６が腕時計ケース１内に設けられた回転リング６の歯部６ａに噛み合うように構成されている。これにより、この歯車１５は、操作部材７の回転操作に伴って操作部材７と共に回転すると、その回転に連動して回転リング６を腕時計ケース１の内周面に沿って回転させるように構成されている。
【００２０】
この場合、回転リング６は、目盛が表示された分時間などの減算目盛機能を有する回転目盛板や、世界の各都市が表示されたワールドタイム用の回転見切板、あるいは目盛機能を有しない回転板などであり、図２および図３に示すように、腕時計ケース１内にその内周面に沿って回転可能に設けられている。また、この回転リング６の下面には、図６〜図８に示すように、歯車１５の上側に位置する歯部１６が順次噛み合う歯部６ａが回転リング６の円周に沿って等間隔で多数設けられている。
【００２１】
ところで、歯車１５は、その歯部１６が腕時計ケース１の下部に設けられた裏蓋３の弾性片２０に順次弾接して回転するように構成されている。この場合、裏蓋３の内面（図２では上面）には、図２および図６に示すように、取付溝部１９が歯車１５に対応して設けられている。この取付溝部１９は、歯車１５の接線方向に沿って細長く形成されており、この裏蓋３の取付溝部１９内には、弾性片２０が設けられている。
【００２２】
この弾性片２０は、板ばねであり、図６に示すように、歯車１５の下側に位置して歯車１５の接線方向に沿った状態で、裏蓋３の取付溝部１９内に配置されている。この場合、弾性片２０は、図６に示すように、その一端部２０ａ（図６では左端部）が裏蓋３の取付溝部１９内に溶接や溶着などによって固定され、その他端部である先端部２０ｂが歯車１５の下側に位置する歯部１６に弾接するように構成されている。
【００２３】
すなわち、この弾性片２０は、図６〜図８に示すように、その先端部２０ｂが裏蓋３の取付溝部１９内から歯車１５の接線方向に沿って歯車１５の下側に位置する歯部１６の間に向けて斜め上方に延び、この延びた先端部２０ｂが歯部１６間に挿入し、この状態で上下方向に弾性変形するように構成されている。
【００２４】
具体的には、この弾性片２０は、図６〜図８に示すように、その一端部２０ａが歯車１５の下側に位置する歯部１６から左側に離れた位置に固定され、他端部である先端部２０ｂが裏蓋３の取付溝部１９内から歯車１５の下側に位置する歯部１６に沿って、その左側から右側に向けて接近しながら斜め上方に延び、この延びた先端部２０ｂが歯部１６間に挿入して右側に位置する歯部１６の歯側面１６ａに弾接するように構成されている。
【００２５】
これにより、弾性片２０は、図６および図８において歯車１５が反時計回りに回転する際に、歯車１５の下側に位置する歯部１６のうち、弾性片２０の真上に位置する歯部１６の歯先１６ｂによって弾性片２０の先端部２０ｂが徐々に押し下げられて弾性変位し、この弾性片２０の先端部２０ｂがこれに弾接している歯部１６から下側に離れて歯車１５の回転方向に対し相対的に位置がずれると、弾性片２０が弾性復帰し、その先端部２０ｂが次の歯部１６間に挿入することにより、歯車１５にクリック感を付与するように構成されている。
【００２６】
すなわち、この弾性片２０は、図６〜図８に示すように、操作部材７が一方向（図６では反時計回り方向）に回転した際に、歯車１５の下側に位置する歯部１６の歯先１６ｂによって、弾性片２０の先端部２０ｂが徐々に押し下げられて弾性変形することにより、歯部１６が弾性片２０を順次乗り越えて、歯車１５を一方向（図６では反時計回り方向）に回転させると共に、歯部１６が弾性片２０を乗り越えたときに、歯車１５にクリック感を付与するように構成されている。
【００２７】
また、この弾性片２０は、図６および図７に示すように、操作部材７が他方向（図６では時計回り方向）に回転された際に、弾性片２０の先端部２０ｂが歯車１５の下側に位置する歯部１６間に弾力的に挿入していることにより、この挿入した先端部２０ｂが図７に示す右側に位置する歯部１６の左側の歯側面１６ａに当接して歯部１６を係止し、歯車１５の他方向（図６では時計回り方向）への回転を阻止するように形成されている。
【００２８】
これにより、歯車１５と弾性片２０とは、操作部材７が一方向（図６では反時計回り方向）に回転した際に、歯車１５における歯部１６が弾性片２０を弾性変形させて順次乗り越えることにより、歯車１５および操作部材７を一方向（図６では反時計回り方向）に回転可能にし、また操作部材７が他方向（図６では時計回り方向）に回転された際に、歯車１５の歯部１６を弾性片２０が係止して歯車１５および操作部材７の他方向（図６では時計回り方向）への回転を阻止するように構成されている。
【００２９】
次に、この腕時計の作用について説明する。
まず、図２および図３に示すように、腕時計ケース１の外部に露出した操作部材７の頭部１０を、図６において一方向である反時計回りに回転させると、操作部材７の軸部１１の歯車取付部１４に取り付けられた歯車１５が操作部材７と共に同方向に回転する。このときには、歯車１５の下側に位置する歯部１６の歯先１６ｂが、図８に示すように、裏蓋３に設けられた弾性片２０の先端部２０ｂ側を徐々に押し下げて、弾性片２０を下側に向けて弾性変形させる。
【００３０】
そして、歯車１５の歯部１６が弾性片２０を乗り越えると、図７および図８に示すように、弾性片２０が弾性復帰して弾性片２０の先端部２０ｂが次の歯部１６間に挿入する。このときに、弾性片２０が歯車１５にクリック感を付与する。これにより、歯車１５の歯部１６が弾性片２０を順次乗り越えることにより、歯車１５および操作部材７がクリック感をもって回転する。
【００３１】
このように、歯車１５が操作部材７の一方向である反時計回り方向の回転操作に応じて同方向に回転すると、図８に示すように、歯車１５の上側に位置する歯部１６が回転リング６の歯部６ａに噛み合っているので、歯車１５の回転に連動して回転リング６が腕時計ケース１の内周面に沿って一方向（図６に示す矢印Ｘ方向）に回転する。
【００３２】
また、腕時計ケース１の外部に露出した操作部材７の頭部１０を、図６および図７において他方向である時計回りに回転させると、操作部材７の軸部１１の歯車取付部１４に取り付けられた歯車１５が操作部材７と共に回転しようとする。しかし、このときには、図７に示すように、歯車１５の下側に位置する歯部１６間に弾性片２０の先端部２０ｂが弾力的に挿入しているので、この挿入した弾性片２０の先端部２０ｂが歯部１６の歯側面１６ａに当接して歯部１６を係止する。
【００３３】
すなわち、弾性片２０は、その先端部２０ｂが歯部１６の歯側面１６ａによって時計回り方向に向けて押されると、先端部２０ｂが弾性片２０の固定された一端部２０ａに向けて押されることになる。このときには、弾性片２０がその長手方向に沿って圧縮されることになるが、弾性片２０は上下方向にほとんど弾性変形することがないので、先端部２０ｂが歯部１６間から下側に抜け出すことがない。
【００３４】
このため、歯車１５は、図７に示すように、その他方向（時計回り方向）への回転が阻止されるので、歯車１５および操作部材７の他方向（時計回り方向）への回転が阻止される。これにより、操作部材７は、一方向（反時計回り方向）に回転して、回転リング６を一方向（図６に示す矢印Ｘ方向）に回転させるが、他方向（時計回り方向）には回転せず、回転リング６を他方向（図６に示す矢印Ｘ方向と反対方向）に回転させないため、回転リング６の回転方向が特定方向つまり一方向（図６に示す矢印Ｘ方向）のみに規制される。
【００３５】
このように、この腕時計によれば、腕時計ケース１の側部にその外部から内部に貫通して設けられた回転操作可能な操作部材７に設けられた歯車１５と、腕時計ケース１の下部設けられた裏蓋３に設けられて歯車１５に弾接する弾性片２０とが、操作部材７を一方向（反時計回り方向）に回転させた際に、歯車１５の歯部１６によって弾性片２０を弾性変形させて操作部材７を回転可能にし、操作部材７を他方向（時計回り方向）に回転させた際に、弾性片２０が歯車１５の歯部１６を係止して操作部材７の回転を阻止するように形成されているので、弾性片２０を追加するだけの簡単な構造で、歯車１５の回転に連動して回転する回転リング６の回転方向を特定方向に規制することができる。
【００３６】
この場合、弾性片２０は、裏蓋３の上面から歯車１５の下側に位置する歯部１６に向けて斜め上方に延び、この延びた先端部２０ｂが歯車１５における一方向の回転方向である反時計回り方向から歯部１６間に弾力的に出没可能に挿入し、この状態で上下方向に弾性変形するように構成されているので、操作部材７を一方向（図６では反時計回り）に回転させた際に、歯車１５の各歯部１６が順次弾性片２０を弾性変形させて乗り越えることにより、クリック感をもって歯車１５を操作部材７の回転に応じて回転させることができる。
【００３７】
すなわち、操作部材７を一方向（図６では反時計回り）に回転させると、歯車１５の下側に位置する歯部１６の歯先１６ｂが弾性片２０の先端部２０ｂを徐々に押し下げて弾性変形させることにより、弾性片２０の先端部２０ｂを歯部１６間から離脱させることができる。このため、歯車１５の歯部１６は、その一方向への回転に伴って弾性片２０を弾性変形させて順次乗り越えることができるので、歯車１５が回転可能になり、これにより歯車１５および操作部材７を一方向である反時計回りに回転させることができる。
【００３８】
これにより、歯車１５の回転に連動させて回転リング６を腕時計ケース１の内周面に沿って一方向（図６に示す矢印Ｘ方向）に回転させることができると共に、歯車１５の歯部１６が弾性片２０を弾性変形させて乗り越えた後に、弾性片２０が弾性復帰して弾性片２０の先端部２０ｂが歯部１６間に挿入することにより、弾性片２０によって歯車１５にクリック感を付与することができる。
【００３９】
また、操作部材７を他方向（図６では時計回り方向）に回転させた際には、弾性片２０の先端部２０ｂが歯車１５の下側に位置する歯部１６間に弾力的に挿入しているので、この挿入した弾性片２０の先端部２０ｂが歯部１６の歯側面１６ａに当接して歯部１６を係止することができ、これにより歯車１５の他方向への回転を阻止することができる。このため、歯車１５および操作部材７の他方向への回転が阻止されるので、回転リング６の他方向（図６に示す矢印Ｘ方向と反対方向）への回転を確実に阻止することができる。
【００４０】
また、この腕時計では、弾性片２０が、その一端部２０ａを裏蓋３に固定し、他端部である先端部２０ｂを歯車１５の歯部１６間に出没可能に挿入させて歯車１５の他方向への回転（つまり図６において時計回りの回転）を阻止するように構成されていることにより、弾性片２０の構造が簡単で、裏蓋３に容易に取り付けることができると共に、弾性片２０の先端部２０ｂを歯車１５の歯部１６間に出没可能に確実に且つ良好に挿入させることができる。
【００４１】
この場合、弾性片２０は、裏蓋３の内面である上面に設けられた取付溝部１９内に一端部２０ａが配置され、他端部である先端部２０ｂが斜め上方に向けて延びて歯車１５の歯部１６間に出没可能に挿入する構成であるから、歯車１５に対する弾性片２０の設置スペースを最小限に抑えることができ、これにより腕時計ケース１全体の薄型化および小型化を図り、腕時計全体の薄型化および小型化を図ることができる。
【００４２】
なお、前述した実施形態１では、歯車１５と弾性片２０とによって操作部材７の回転方向を、反時計回りである一方向に回転可能にし、時計回りである他方向への回転を阻止するように構成した場合について述べたが、これに限らず、操作部材７の回転方向を、時計回りである他方向に回転可能にし、反時計回りである一方向への回転を阻止するように構成しても良い。
【００４３】
この場合には、弾性片２０を歯車１５に対して左右逆向きに配置すれば良い。すなわち、弾性片２０は、図６において、その一端部２０ａを歯車１５の右側に固定し、他端部である先端部２０ｂを右側から左側に向けて延ばし、この延び先端部２０ｂを歯車１５の下側に位置する歯部１６間に挿脱可能に挿入させるように構成すれば良い。このようにすれば、操作部材７の回転方向を、時計回りである他方向に回転可能にし、反時計回りである一方向への回転を阻止することができる。
【００４４】
（実施形態２）
次に、図９〜図１３を参照して、この発明を適用した腕時計の実施形態２について説明する。なお、図１〜図８に示された実施形態１と同一部分には同一符号を付して説明する。
この腕時計は、弾性片３０が実施形態１と異なる構成であり、これ以外は実施形態１と同じ構成になっている。すなわち、この弾性片３０は、図９および図１１に示すように、板ばね形状に形成されたものであり、実施形態１と同様、歯車１５の下側に位置して歯車１５の接線方向に沿った状態で、裏蓋３の取付溝部１９内に配置されている。
【００４５】
この場合、弾性片３０は、図１１に示すように、その一端部３０ａ（図６では左端部）が裏蓋３の取付溝部１９内に溶接や溶着などによって固定され、他端部３０ｂが歯車１５に向けて斜め上方に延び、この延びた他端部３０ｂと一端部３０ａとの間にフック部３１が上方に突出して形成され、このフック部３１が歯車１５の下側に位置する歯部１６間に出没可能に挿入して弾接するように構成されている。
【００４６】
すなわち、この弾性片３０は、図１１〜図１３に示すように、その一端部３０ａが歯車１５の下側に位置する歯部１６から左側に離れた位置に固定され、他端部３０ｂが裏蓋３の取付溝部１９内から歯車１５の下側に位置する歯部１６に沿って、その左側から右側に向けて接近しながら斜め上方に延び、この延びた他端部３０ｂと一端部３０ａとの間に位置するフック部３１が歯部１６間に向けて山形形状に突出し、この突出したフック部３１が歯部１６間に挿入して各歯部１６の各歯側面１６ａに弾接するように構成されている。
【００４７】
これにより、弾性片３０は、図１１および図１３において歯車１５が反時計回りに回転する際に、歯車１５の下側に位置する歯部１６のうち、弾性片３０の真上に位置する歯部１６の歯先１６ｂによって弾性片３０の他端部３０ｂ側が徐々に押し下げられて山形形状のフック部３１が下側に変位し、このフック部３１が歯部１６間から下側に離れて歯車１５の回転方向に対し相対的に位置がずれると、弾性片３０が弾性復帰し、フック部３１が次の歯部１６間に挿入することにより、歯車１５にクリック感を付与するように構成されている。
【００４８】
すなわち、この弾性片３０は、図１１〜図１３に示すように、操作部材７が一方向（図１１では反時計回り方向）に回転した際に、歯車１５の下側に位置する歯部１６の歯先１６ｂによって、フック部３１と共に弾性片３０が徐々に押し下げられて弾性変形することにより、フック部３１が歯部１６間から下側に離脱して回転方向に相対的に位置がずれ、このずれたフック部３１が次の歯部１６間に位置すると、歯部１６がフック部３１を乗り越えるので、歯車１５を一方向（図１１では反時計回り方向）に回転させると共に、歯車１５にクリック感を付与するように構成されている。
【００４９】
また、この弾性片３０は、図１１および図１２に示すように、操作部材７が他方向（図１１では時計回り方向）に回転された際に、弾性片３０のフック部３１が歯車１５の下側に位置する歯部１６間に弾力的に挿入していることにより、この挿入したフック部３１が図１２に示す右側に位置する歯部１６の左側の歯側面１６ａに当接して歯部１６を係止し、歯車１５の他方向（図１１では時計回り方向）への回転を阻止するように形成されている。
【００５０】
これにより、歯車１５と弾性片３０とは、操作部材７が一方向（図１１では反時計回り方向）に回転した際に、歯車１５における歯部１６が弾性片３０を弾性変形させて順次乗り越えることにより、歯車１５および操作部材７を一方向（図１１では反時計回り方向）に回転可能にし、また操作部材７が他方向（図１１では時計回り方向）に回転された際に、歯車１５の歯部１６を弾性片３０のフック部３１が係止して歯車１５および操作部材７の他方向（図１１では時計回り方向）への回転を阻止するように構成されている。
【００５１】
次に、この腕時計の作用について説明する。
まず、図９および図１０に示すように、腕時計ケース１の外部に露出した操作部材７の頭部１０を、図１１において一方向である反時計回りに回転させると、操作部材７の軸部１１の歯車取付部１４に取り付けられた歯車１５が操作部材７と共に同方向に回転する。このときには、図１３に示すように、歯車１５の下側に位置する歯部１６の歯先１６ｂが、裏蓋３に設けられた弾性片３０の他端部３０ｂ側を徐々に押し下げて、弾性片３０のフック部３１を下側に向けて弾性変位させる。
【００５２】
そして、歯車１５の歯部１６が弾性片３０を乗り越えると、図１２および図１３に示すように、弾性片３０が弾性復帰して弾性片３０のフック部３１が次の歯部１６間に挿入する。このときに、弾性片３０が歯車１５にクリック感を付与する。これにより、歯車１５の歯部１６が弾性片３０のフック部３１を順次乗り越えることにより、歯車１５および操作部材７がクリック感をもって回転する。
【００５３】
このように、歯車１５が操作部材７の一方向である反時計回りの回転操作に応じて同方向に回転すると、図１３に示すように、歯車１５の上側に位置する歯部１６が回転リング６の歯部６ａに噛み合っているので、実施形態１と同様、歯車１５の回転に連動して回転リング６が腕時計ケース１の内周面に沿って一方向（図１１に示す矢印Ｘ方向）に回転する。
【００５４】
また、腕時計ケース１の外部に露出した操作部材７の頭部１０を、図１１および図１２において他方向である時計回りに回転させると、操作部材７の軸部１１の歯車取付部１４に取り付けられた歯車１５が操作部材７と共に回転しようとする。しかし、このときには、図１２に示すように、歯車１５の下側に位置する歯部１６間に弾性片３０のフック部３１が弾力的に挿入しているので、この挿入した弾性片３０のフック部３１が歯部１６の歯側面１６ａに当接して歯部１６を係止する。
【００５５】
すなわち、弾性片３０は、そのフック部３１が歯部１６の歯側面１６ａによって時計回り方向に向けて押されると、フック部３１が弾性片３０の固定された一端部３０ａに向けて押されることになる。このときには、弾性片３０がその長手方向に沿って圧縮されることになるが、弾性片３０は上下方向にほとんど弾性変形することがないので、フック部３１が歯部１６間から下側に抜け出すことがない。
【００５６】
このため、歯車１５は、図１２に示すように、その他方向（時計回り方向）への回転が阻止されるので、歯車１５および操作部材７の他方向（時計回り方向）への回転が阻止される。これにより、操作部材７は、一方向（反時計回り方向）に回転して、回転リング６を一方向（図１１に示す矢印Ｘ方向）に回転させるが、他方向（時計回り方向）には回転せず、回転リング６を他方向（図１１に示す矢印Ｘ方向と反対方向）に回転させないため、回転リング６の回転方向が特定方向つまり一方向（図１１に示す矢印Ｘ方向）のみに規制される。
【００５７】
このように、この腕時計によれば、腕時計ケース１の側部にその外部から内部に貫通して設けられた回転操作可能な操作部材７に設けられた歯車１５と、腕時計ケース１の下部設けられた裏蓋３に設けられて歯車１５に弾接する弾性片３０とが、操作部材７を一方向（反時計回り方向）に回転させた際に、歯車１５の歯部１６によって弾性片３０を弾性変形させて操作部材７を回転可能にし、操作部材７を他方向（時計回り方向）に回転させた際に、弾性片３０が歯車１５の歯部１６を係止して操作部材７の回転を阻止するように形成されているので、実施形態１と同様、弾性片３０を追加するだけの簡単な構造で、歯車１５の回転に連動して回転する回転リング６の回転方向を特定方向に規制することができる。
【００５８】
この場合、弾性片３０は、その一端部３０ａが裏蓋３の上面に固定され、他端部３０ｂが裏蓋３の上面から歯車１５に向けて斜め上方に延び、この延びた他端部３０ｂと一端部３０ａとの間にフック部３１が設けられ、このフック部３１が歯車１５の下側に位置する歯部１６間に弾力的に出没可能に挿入し、この状態で上下方向に弾性変形するように構成されているので、操作部材７を一方向（図１１では反時計回り）に回転させた際に、歯車１５の各歯部１６が順次弾性片３０を弾性変形させて乗り越えることにより、クリック感をもって歯車１５を操作部材７の回転に応じて回転させることができる。
【００５９】
すなわち、操作部材７を一方向（図１１では反時計回り）に回転させると、歯車１５の下側に位置する歯部１６が弾性片３０を徐々に押し下げて弾性変形させることにより、弾性片３０のフック部３１を歯部１６ａ間から離脱させることができる。このため、歯車１５の歯部１６は、その一方向への回転に伴って弾性片３０のフック部３１を順次乗り越えることができるので、歯車１５が回転可能になり、これにより歯車１５および操作部材７を一方向である反時計回りに回転させることができる。
【００６０】
これにより、歯車１５の回転に連動させて回転リング６を腕時計ケース１の内周面に沿って一方向（図１１に示す矢印Ｘ方向）に回転させることができると共に、歯車１５の歯部１６が弾性片３０を弾性変形させてフック部３１を乗り越えた後に、弾性片３０が弾性復帰して弾性片３０のフック部３１が歯部１６間に挿入することにより、弾性片３０によって歯車１５にクリック感を付与することができる。
【００６１】
また、操作部材７を他方向（図１１では時計回り方向）に回転させた際には、弾性片３０のフック部３１が歯車１５の下側に位置する歯部１６間に弾力的に挿入しているので、この挿入した弾性片３０のフック部３１が歯部１６の歯側面１６ａに当接して歯部１６を係止することができ、これにより歯車１５の他方向への回転を阻止することができる。このため、歯車１５および操作部材７の他方向への回転が阻止されるので、回転リング６の他方向（図１１に示す矢印Ｘ方向と反対方向）への回転を確実に阻止することができる。
【００６２】
また、この腕時計では、弾性片３０が、その一端部３０ａを裏蓋３に固定し、他端部３０ｂが歯車１５に向けて斜め上方に延び、この延びた他端部３０ｂと一端部３０ａとの間に設けられたフック部３１が歯車１５の歯部１６間に出没可能に挿入して歯車１５の他方向への回転（つまり図１１において時計回りの回転）を阻止するように構成されていることにより、実施形態１と同様、弾性片３０の構造が簡単で、裏蓋３に容易に取り付けることができると共に、弾性片３０のフック部３１を歯車１５の歯部１６間に出没可能に確実に且つ良好に挿入させることができる。
【００６３】
この場合、弾性片３０は、裏蓋３の内面である上面に設けられた取付溝部１９内に一端部３０ａが配置され、他端部３０ｂが斜め上方に向けて延び、一端部３０ａと他端部３０ｂとの中間部に設けられたフック部３１が歯車１５の歯部１６間に出没可能に挿入する構成であるから、実施形態１と同様、歯車１５に対する弾性片３０の設置スペースを最小限に抑えることができ、これにより腕時計ケース１全体の薄型化および小型化を図り、腕時計全体の薄型化および小型化を図ることができる。
【００６４】
なお、前述した実施形態２では、歯車１５と弾性片３０とによって操作部材７の回転方向を、反時計回りである一方向に回転可能にし、時計回りである他方向への回転を阻止するように構成した場合について述べたが、これに限らず、操作部材７の回転方向を、時計回りである他方向に回転可能にし、反時計回りである一方向への回転を阻止するように構成しても良い。
【００６５】
この場合にも、弾性片３０を歯車１５に対して左右逆向きに配置すれば良い。すなわち、弾性片３０は、図１１において、その一端部３０ａを歯車１５の右側に固定し、他端部３０ｂを右側から左側に向けて延ばし、この延び他端部３０ｂと一端部３０ａとの間にフック部３１を設け、このフック部３１を歯車１５の下側に位置する歯部１６間に挿脱可能に挿入させるように構成すれば良い。このようにすれば、操作部材７の回転方向を、時計回りである他方向に回転可能にし、反時計回りである一方向への回転を阻止することができる。
【００６６】
また、前述した実施形態１、２およびその各変形例では、腕時計ケース１の３時側に位置する側部に操作部材７が設けられている場合について述べたが、これに限らず、例えば２時側、４時側、８時側、９時側、１０時側などのいずかの箇所に操作部材７が設けられている構成であっても良い。
【符号の説明】
【００６７】
１  腕時計ケース
１ａ  貫通孔
３  裏蓋
４  時計モジュール
６  回転リング
６ａ  回転リングの歯部
７  操作部材
１０  頭部
１１  軸部
１４  歯車取付部
１５  歯車
１６  歯部
１６ａ  歯側面
１６ｂ  歯先
１８  歯車の軸孔
１９  取付溝部
２０、３０  弾性片
２０ａ、３０ａ  弾性片の一端部
２０ｂ  弾性片の先端部
３０ｂ  弾性片の他端部
３１  フック部
【図１】
2012052919.tif 000003
【図２】
2012052919.tif 000004
【図３】
2012052919.tif 000005
【図４】
2012052919.tif 000006
【図５】
2012052919.tif 000007
【図６】
2012052919.tif 000008
【図７】
2012052919.tif 000009
【図８】
2012052919.tif 000010
【図９】
2012052919.tif 000011
【図１０】
2012052919.tif 000012
【図１１】
2012052919.tif 000013
【図１２】
2012052919.tif 000014
【図１３】
2012052919.tif 000015